(57)【特許請求の範囲】
【請求項１】
表示部を備えた表示装置と、該表示装置を操作するためのタッチパッドを備えた操作装置とからなる表示システムにおいて、
前記操作装置は、前記タッチパッドに対する操作に応じた操作情報を送信する送信手段を有し、
前記表示装置は、前記操作装置から送信された操作情報を受信する受信手段と、該受信手段が受信した操作情報に応じた制御を行う制御部とを有し、
予め前記タッチパッド上に複数の所定領域が設定され、
該制御部は、予め定めたソフトキーボードを前記表示部に表示させ、
前記タッチパッドの前記所定領域におけるタッチ操作によって、前記予め定めたソフトキーボードの複数のキーをグループ化したキーグループのうち特定のキーに対する所定の入力操作が行われたものと判断することを特徴とする表示システム。
【請求項２】
請求項１に記載の表示システムにおいて、
前記所定の入力操作が行われたものと判断するキーは、前記複数の所定領域のうち、特定の所定領域から他の所定領域までタッチ位置が移動したときの最初と最後の所定領域に応じて、もしくは特定の所定領域に対するタップ操作に応じて切り換わることを特徴とする表示システム。
【請求項３】
請求項１に記載の表示システムにおいて、
前記所定の入力操作は、前記複数の所定領域のうち、特定の所定領域から他の所定領域までタッチ位置が移動したときの最初と最後の所定領域に応じて、もしくは特定の所定領域に対するタップ操作に応じて定められることを特徴とする表示システム。
【請求項４】
表示部を備えた表示装置と、該表示装置を操作するためのタッチパッドを備えた操作装置とからなる表示システムにおいて、
前記操作装置は、前記タッチパッドに対する操作に応じた操作情報を送信する送信手段を有し、
前記表示装置は、前記操作装置から送信された操作情報を受信する受信手段と、該受信手段が受信した操作情報に応じた制御を行う制御部とを有し、
予め前記タッチパッド上に複数の所定領域が設定され、
前記制御部は、前記タッチパッドの前記所定領域におけるタッチ操作に応じて、予め定めたソフトキーボードの特定のキーに対する所定の入力操作が行われたものと判断し、
前記制御部は、前記予め定めたソフトキーボードを前記表示部に表示させ、
前記ソフトキーボードは、複数のキーをグループ化したキーグループを複数有し、各前記キーグループの表示位置は、最初にタッチ操作を行う前記所定領域の位置に対応し、各前記キーグループが有する複数のキーの少なくとも一部は、それぞれタッチ操作を行う方向が示されていることを特徴とする表示システム。
【請求項５】
表示部を備えた表示装置と、該表示装置を操作するためのタッチパッドを備えた操作装置とからなる表示システムにおいて、
前記操作装置は、前記タッチパッドに対する操作に応じた操作情報を送信する送信手段を有し、
前記表示装置は、前記操作装置から送信された操作情報を受信する受信手段と、該受信手段が受信した操作情報に応じた制御を行う制御部とを有し、
予め前記タッチパッド上に複数の所定領域が設定され、
前記制御部は、前記タッチパッドの前記所定領域におけるタッチ操作に応じて、予め定めたソフトキーボードの特定のキーに対する所定の入力操作が行われたものと判断し、
前記制御部は、特定の前記所定領域から他の特定の所定領域へのタッチ操作に対して、前記ソフトキーボードの２種類のキーを予め割り当てておき、
前記タッチパッドに対するタッチ位置が、特定の所定領域から他の所定領域まで移動してタッチ操作が終了したときと、前記特定の所定領域から他の所定領域まで移動した後、連続して予め定めたキー切り換え用領域まで移動して終了したときとで、入力操作が行われたものと判断するキーを切り換えることを特徴とする表示システム。
【請求項６】
表示部を備えた表示装置と、該表示装置を操作するためのタッチパッドを備えた操作装置とからなる表示システムにおいて、
前記操作装置は、前記タッチパッドに対する操作に応じた操作情報を送信する送信手段を有し、
前記表示装置は、前記操作装置から送信された操作情報を受信する受信手段と、該受信手段が受信した操作情報に応じた制御を行う制御部とを有し、
予め前記タッチパッド上に複数の所定領域が設定され、
前記制御部は、前記タッチパッドの前記所定領域におけるタッチ操作に応じて、予め定めたソフトキーボードの特定のキーに対する所定の入力操作が行われたものと判断し、
前記制御部は、特定の前記所定領域へのタッチ操作に対して、前記ソフトキーボードの２種類のキーを予め割り当てておき、
前記タッチパッドに対するタッチ操作が、特定の所定領域をタップすることで終了したときと、タッチ位置が前記特定の所定領域から予め定めたキー切り換え用領域まで移動して終了したときとで、入力操作が行われたものと判断するキーを切り換えることを特徴とする表示システム。
【請求項７】
表示部を備えた表示装置と、該表示装置を操作するためのタッチパッドを備えた操作装置とからなる表示システムにおいて、
前記操作装置は、前記タッチパッドに対する操作に応じた操作情報を送信する送信手段を有し、
前記表示装置は、前記操作装置から送信された操作情報を受信する受信手段と、該受信手段が受信した操作情報に応じた制御を行う制御部とを有し、
予め前記タッチパッド上に複数の所定領域が設定され、
前記制御部は、前記タッチパッドの前記所定領域におけるタッチ操作に応じて、予め定めたソフトキーボードの特定のキーに対する所定の入力操作が行われたものと判断し、
前記制御部は、前記タッチパッドの所定領域以外の領域で、所定のジェスチャ操作が行われたときに、すでに行われた入力操作を無効とすることを特徴とする表示システム。
【請求項８】
請求項１〜７のいずれか１に記載の表示システムにおいて、
前記制御部は、前記所定領域に対するタッチ操作の進捗を示すプログレスバーを前記表示部に表示することを特徴とする表示システム。
【請求項９】
請求項１に記載の表示システムにおいて、
前記制御部は、前記所定領域に対するタッチ操作の順序を点字入力の規則に対応させて、前記所定の入力操作を判断することを特徴とする表示システム。
【請求項１０】
表示部を備えた表示装置を制御する制御方法であって、
前記表示装置を操作するためのタッチパッドを備えた操作装置から前記タッチパッドに対する操作に応じた操作情報を受信し、前記操作情報に応じた制御を行う前記表示装置を制御する制御方法であり、
予め前記タッチパッド上に複数の所定領域が設定され、
予め定めたソフトキーボードを前記表示部に表示させるステップと、
前記タッチパッドの前記所定領域におけるタッチ操作によって、前記予め定めたソフトキーボードの複数のキーをグループ化したキーグループのうち特定のキーに対する所定の入力操作が行われたものと判断するステップとを含むことを特徴とする制御方法。
【請求項１１】
表示部を備えた表示装置を制御する制御方法であって、
前記表示装置を操作するためのタッチパッドを備えた操作装置から前記タッチパッドに対する操作に応じた操作情報を受信し、前記操作情報に応じた制御を行う前記表示装置を制御する制御方法であり、
予め前記タッチパッド上に複数の所定領域が設定され、
前記タッチパッドの前記所定領域におけるタッチ操作に応じて、予め定めたソフトキーボードの特定のキーに対する所定の入力操作が行われたものと判断するステップと、
前記予め定めたソフトキーボードを前記表示部に表示させるステップと、
前記ソフトキーボードは、複数のキーをグループ化したキーグループを複数有し、各前記キーグループの表示位置は、最初にタッチ操作を行う前記所定領域の位置に対応し、各前記キーグループが有する複数のキーの少なくとも一部は、それぞれタッチ操作を行う方向を示すステップとを含むことを特徴とする制御方法。
【請求項１２】
表示部を備えた表示装置を制御する制御方法であって、
前記表示装置を操作するためのタッチパッドを備えた操作装置から前記タッチパッドに対する操作に応じた操作情報を受信し、前記操作情報に応じた制御を行う前記表示装置を制御する制御方法であり、
予め前記タッチパッド上に複数の所定領域が設定され、
前記タッチパッドの前記所定領域におけるタッチ操作に応じて、予め定めたソフトキーボードの特定のキーに対する所定の入力操作が行われたものと判断するステップと、
特定の前記所定領域から他の特定の所定領域へのタッチ操作に対して、前記ソフトキーボードの２種類のキーを予め割り当てておき、
前記タッチパッドに対するタッチ位置が、特定の所定領域から他の所定領域まで移動してタッチ操作が終了したときと、前記特定の所定領域から他の所定領域まで移動した後、連続して予め定めたキー切り換え用領域まで移動して終了したときとで、入力操作が行われたものと判断するキーを切り換えるステップとを含むことを特徴とする制御方法。
【請求項１３】
表示部を備えた表示装置を制御する制御方法であって、
前記表示装置を操作するためのタッチパッドを備えた操作装置から前記タッチパッドに対する操作に応じた操作情報を受信し、前記操作情報に応じた制御を行う前記表示装置を制御する制御方法であり、
予め前記タッチパッド上に複数の所定領域が設定され、
前記タッチパッドの前記所定領域におけるタッチ操作に応じて、予め定めたソフトキーボードの特定のキーに対する所定の入力操作が行われたものと判断するステップと、
特定の前記所定領域へのタッチ操作に対して、前記ソフトキーボードの２種類のキーを予め割り当てておき、
前記タッチパッドに対するタッチ操作が、特定の所定領域をタップすることで終了したときと、タッチ位置が前記特定の所定領域から予め定めたキー切り換え用領域まで移動して終了したときとで、入力操作が行われたものと判断するキーを切り換えるステップとを含むことを特徴とする制御方法。
【請求項１４】
表示部を備えた表示装置を制御する制御方法であって、
前記表示装置を操作するためのタッチパッドを備えた操作装置から前記タッチパッドに対する操作に応じた操作情報を受信し、前記操作情報に応じた制御を行う前記表示装置を制御する制御方法であり、
予め前記タッチパッド上に複数の所定領域が設定され、
前記タッチパッドの前記所定領域におけるタッチ操作に応じて、予め定めたソフトキーボードの特定のキーに対する所定の入力操作が行われたものと判断するステップと、
前記タッチパッドの所定領域以外の領域で、所定のジェスチャ操作が行われたときに、すでに行われた入力操作を無効とするステップとを含むことを特徴とする制御方法。
【発明の詳細な説明】
【技術分野】
【０００１】
本発明は、表示システム、より詳細には、タッチパッドを備えた操作部を使用して表示部の表示を操作する表示システムに関する。
【背景技術】
【０００２】
テレビ受像機などの表示装置では、所定の操作入力手段に対するユーザ操作に応じて、ユーザ任意の文字等を表示画面に表示させることができる。このような文字等の入力表示の手段としては、例えば、パソコン用のキーボードを表示装置本体に接続して、ユーザ操作により入力するものがある。あるいは、リモコンに備えられたテンキーを使用して、携帯電話等の文字入力と同様に、同じキーを複数回操作することで所定の文字を入力できるようにしたものもある。
【０００３】
これらの操作入力手段を利用して表示装置にパスワードを入力する必要が生じるシーンがある。パスワードは、ユーザ認証などで本人確認に用いる秘密の文字列であり、認証が必要なサービスやシステムをユーザが利用する際に、ユーザは自分のユーザ名(アカウント名)とともにパスワードを入力し、サービスやシステムに登録されているものと一致すれば本人とみなして利用を許可する。
【０００４】
表示装置にパスワードを入力する場合、表示装置の表示画面上にソフトキーボードを使用して、ユーザ操作による入力を行うようにしたものがある。この場合、リモコン上に用意された上下左右のカーソルキーを使用して、表示画面に表示させたソフトキーボードから所定のキーを選択し、リモコンの決定キーを押すことで文字入力を行うことができる。また、画面上のソフトキーボードのキーをマウスカーソルのようなフリーカーソルで選択することもできる。この場合、タッチパッドを使用し、タッチパッドに対する操作によってカーソル操作を行うことができるようにしたものもある。
【０００５】
このような文字入力の技術に関して、例えば特許文献１には、マウスのホイールを使用してパスワードを入力する方法が開示されている。この方法によれば、ユーザの入力動作は一連の信号群を入力するためにマウスホイールを方向転換させることにより行なわれる。また、マウスのクリックまたは運動を利用して入力することもできる。これにより、ユーザのパスワード情報を窃取から有効に保護することができるとされている。
【先行技術文献】
【特許文献】
【０００６】
【特許文献１】特表２００９−５１４０７７号公報
【発明の概要】
【発明が解決しようとする課題】
【０００７】
上記のように、表示装置にパスワードを入力する場合、ソフトキーボードを使用することができるが、例えばテレビ受像機などの表示装置では、複数の人が同時に表示装置の表示画面を見ることができるため、ソフトキーボードを開いてキー入力を行う際に、どのキーを操作したかがユーザ以外の他の人にも見られてしまう、という問題が生じる。このような場合、パスワードの秘匿性に係る機能が阻害されてしまう。
【０００８】
また、表示装置を操作するリモコンのテンキーを利用して、パスワードを直接に入力するような手法を用いた場合でも、入力中の文字や記号を表示装置の画面に表示させずに確実にパスワードを入力することは困難である。
ここでリモコン自体に表示装置を装備し、ユーザの手元で確認しながらパスワードを入力させるようにすることもできるが、表示装置付きのリモコンを用意しなければならず、構成が複雑化して製造コストも高くなり、リモコンの大型化により使い勝手が悪化する、という問題が生じる。
【０００９】
また、特許文献１の発明では、入力操作に対して文字をマッピングするためのファイルを予め用意する必要があるともに、ユーザもそのマッピングを覚えておく必要があり、汎用性がなく利便性が低い。また特許文献１の入力方法では、パスワードとして数字以外の文字や記号を含ませようとすると、手順が増えて入力に手間がかかるという問題がある。
【００１０】
本発明は、上述のごとき実情に鑑みてなされたものであり、表示装置に任意の文字等の入力を行う際に、他人にその入力内容を知られることなく、簡単な操作で確実に入力操作を行うことができるようにした表示システムを提供することを目的とする。
【課題を解決するための手段】
【００１１】
上記課題を解決するために、本発明に第１の技術手段は、表示部を備えた表示装置と、該表示装置を操作するためのタッチパッドを備えた操作装置とからなる表示システムにおいて、前記操作装置は、前記タッチパッドに対する操作に応じた操作情報を送信する送信手段を有し、前記表示装置は、前記操作装置から送信された操作情報を受信する受信手段と、該受信手段が受信した操作情報に応じた制御を行う制御部とを有し、予め前記タッチパッド上に複数の所定領域が設定され、該制御部は、予め定めたソフトキーボードを前記表示部に表示させ、前記タッチパッドの前記所定領域におけるタッチ操作によって、前記予め定めたソフトキーボードの複数のキーをグループ化したキーグループのうち特定のキーに対する所定の入力操作が行われたものと判断することを特徴としたものである。
【００１２】
第２の技術手段は、第１の技術手段において、前記所定の入力操作が行われたものと判断するキーは、前記複数の所定領域のうち、特定の所定領域から他の所定領域までタッチ位置が移動したときの最初と最後の所定領域に応じて、もしくは特定の所定領域に対するタップ操作に応じて切り換わることを特徴としたものである。
第３の技術手段は、第１の技術手段において、前記所定の入力操作は、前記複数の所定領域のうち、特定の所定領域から他の所定領域までタッチ位置が移動したときの最初と最後の所定領域に応じて、もしくは特定の所定領域に対するタップ操作に応じて定められることを特徴としたものである。
【００１３】
第４の技術手段は、表示部を備えた表示装置と、該表示装置を操作するためのタッチパッドを備えた操作装置とからなる表示システムにおいて、前記操作装置は、前記タッチパッドに対する操作に応じた操作情報を送信する送信手段を有し、前記表示装置は、前記操作装置から送信された操作情報を受信する受信手段と、該受信手段が受信した操作情報に応じた制御を行う制御部とを有し、予め前記タッチパッド上に複数の所定領域が設定され、前記制御部は、前記タッチパッドの前記所定領域におけるタッチ操作に応じて、予め定めたソフトキーボードの特定のキーに対する所定の入力操作が行われたものと判断し、前記制御部は、前記予め定めたソフトキーボードを前記表示部に表示させ、前記ソフトキーボードは、複数のキーをグループ化したキーグループを複数有し、各前記キーグループの表示位置は、最初にタッチ操作を行う前記所定領域の位置に対応し、各前記キーグループが有する複数のキーの少なくとも一部は、それぞれタッチ操作を行う方向が示されていることを特徴としたものである。
【００１４】
第５の技術手段は、表示部を備えた表示装置と、該表示装置を操作するためのタッチパッドを備えた操作装置とからなる表示システムにおいて、前記操作装置は、前記タッチパッドに対する操作に応じた操作情報を送信する送信手段を有し、前記表示装置は、前記操作装置から送信された操作情報を受信する受信手段と、該受信手段が受信した操作情報に応じた制御を行う制御部とを有し、予め前記タッチパッド上に複数の所定領域が設定され、前記制御部は、前記タッチパッドの前記所定領域におけるタッチ操作に応じて、予め定めたソフトキーボードの特定のキーに対する所定の入力操作が行われたものと判断し、前記制御部は、特定の前記所定領域から他の特定の所定領域へのタッチ操作に対して、前記ソフトキーボードの２種類のキーを予め割り当てておき、前記タッチパッドに対するタッチ位置が、特定の所定領域から他の所定領域まで移動してタッチ操作が終了したときと、前記特定の所定領域から他の所定領域まで移動した後、連続して予め定めたキー切り換え用領域まで移動して終了したときとで、入力操作が行われたものと判断するキーを切り換えることを特徴としたものである。
【００１５】
第６の技術手段は、表示部を備えた表示装置と、該表示装置を操作するためのタッチパッドを備えた操作装置とからなる表示システムにおいて、前記操作装置は、前記タッチパッドに対する操作に応じた操作情報を送信する送信手段を有し、前記表示装置は、前記操作装置から送信された操作情報を受信する受信手段と、該受信手段が受信した操作情報に応じた制御を行う制御部とを有し、予め前記タッチパッド上に複数の所定領域が設定され、前記制御部は、前記タッチパッドの前記所定領域におけるタッチ操作に応じて、予め定めたソフトキーボードの特定のキーに対する所定の入力操作が行われたものと判断し、前記制御部は、特定の前記所定領域へのタッチ操作に対して、前記ソフトキーボードの２種類のキーを予め割り当てておき、前記タッチパッドに対するタッチ操作が、特定の所定領域をタップすることで終了したときと、タッチ位置が前記特定の所定領域から予め定めたキー切り換え用領域まで移動して終了したときとで、入力操作が行われたものと判断するキーを切り換えることを特徴としたものである。
【００１６】
第７の技術手段は、表示部を備えた表示装置と、該表示装置を操作するためのタッチパッドを備えた操作装置とからなる表示システムにおいて、前記操作装置は、前記タッチパッドに対する操作に応じた操作情報を送信する送信手段を有し、前記表示装置は、前記操作装置から送信された操作情報を受信する受信手段と、該受信手段が受信した操作情報に応じた制御を行う制御部とを有し、予め前記タッチパッド上に複数の所定領域が設定され、前記制御部は、前記タッチパッドの前記所定領域におけるタッチ操作に応じて、予め定めたソフトキーボードの特定のキーに対する所定の入力操作が行われたものと判断し、前記制御部は、前記タッチパッドの所定領域以外の領域で、所定のジェスチャ操作が行われたときに、すでに行われた入力操作を無効とすることを特徴としたものである。
【００１７】
第８の技術手段は、第１〜７のいずれか１の技術手段において、前記制御部は、前記所定領域に対するタッチ操作の進捗を示すプログレスバーを前記表示部に表示することを特徴としたものである。
【００１８】
第９の技術手段は、第１の技術手段において、前記制御部は、前記所定領域に対するタッチ操作の順序を点字入力の規則に対応させて、前記所定の入力操作を判断することを特徴としたものである。
第１０の技術手段は、表示部を備えた表示装置を制御する制御方法であって、前記表示装置を操作するためのタッチパッドを備えた操作装置から前記タッチパッドに対する操作に応じた操作情報を受信し、前記操作情報に応じた制御を行う前記表示装置を制御する制御方法であり、予め前記タッチパッド上に複数の所定領域が設定され、予め定めたソフトキーボードを前記表示部に表示させるステップと、前記タッチパッドの前記所定領域におけるタッチ操作によって、前記予め定めたソフトキーボードの複数のキーをグループ化したキーグループのうち特定のキーに対する所定の入力操作が行われたものと判断するステップとを含むことを特徴としたものである。
第１１の技術手段は、表示部を備えた表示装置を制御する制御方法であって、前記表示装置を操作するためのタッチパッドを備えた操作装置から前記タッチパッドに対する操作に応じた操作情報を受信し、前記操作情報に応じた制御を行う前記表示装置を制御する制御方法であり、予め前記タッチパッド上に複数の所定領域が設定され、前記タッチパッドの前記所定領域におけるタッチ操作に応じて、予め定めたソフトキーボードの特定のキーに対する所定の入力操作が行われたものと判断するステップと、前記予め定めたソフトキーボードを前記表示部に表示させるステップと、前記ソフトキーボードは、複数のキーをグループ化したキーグループを複数有し、各前記キーグループの表示位置は、最初にタッチ操作を行う前記所定領域の位置に対応し、各前記キーグループが有する複数のキーの少なくとも一部は、それぞれタッチ操作を行う方向を示すステップとを含むことを特徴としたものである。
第１２の技術手段は、表示部を備えた表示装置を制御する制御方法であって、前記表示装置を操作するためのタッチパッドを備えた操作装置から前記タッチパッドに対する操作に応じた操作情報を受信し、前記操作情報に応じた制御を行う前記表示装置を制御する制御方法であり、予め前記タッチパッド上に複数の所定領域が設定され、前記タッチパッドの前記所定領域におけるタッチ操作に応じて、予め定めたソフトキーボードの特定のキーに対する所定の入力操作が行われたものと判断するステップと、特定の前記所定領域から他の特定の所定領域へのタッチ操作に対して、前記ソフトキーボードの２種類のキーを予め割り当てておき、前記タッチパッドに対するタッチ位置が、特定の所定領域から他の所定領域まで移動してタッチ操作が終了したときと、前記特定の所定領域から他の所定領域まで移動した後、連続して予め定めたキー切り換え用領域まで移動して終了したときとで、入力操作が行われたものと判断するキーを切り換えるステップとを含むことを特徴としたものである。
第１３の技術手段は、表示部を備えた表示装置を制御する制御方法であって、前記表示装置を操作するためのタッチパッドを備えた操作装置から前記タッチパッドに対する操作に応じた操作情報を受信し、前記操作情報に応じた制御を行う前記表示装置を制御する制御方法であり、予め前記タッチパッド上に複数の所定領域が設定され、前記タッチパッドの前記所定領域におけるタッチ操作に応じて、予め定めたソフトキーボードの特定のキーに対する所定の入力操作が行われたものと判断するステップと、特定の前記所定領域へのタッチ操作に対して、前記ソフトキーボードの２種類のキーを予め割り当てておき、前記タッチパッドに対するタッチ操作が、特定の所定領域をタップすることで終了したときと、タッチ位置が前記特定の所定領域から予め定めたキー切り換え用領域まで移動して終了したときとで、入力操作が行われたものと判断するキーを切り換えるステップとを含むことを特徴としたものである。
第１４の技術手段は、表示部を備えた表示装置を制御する制御方法であって、前記表示装置を操作するためのタッチパッドを備えた操作装置から前記タッチパッドに対する操作に応じた操作情報を受信し、前記操作情報に応じた制御を行う前記表示装置を制御する制御方法であり、予め前記タッチパッド上に複数の所定領域が設定され、前記タッチパッドの前記所定領域におけるタッチ操作に応じて、予め定めたソフトキーボードの特定のキーに対する所定の入力操作が行われたものと判断するステップと、前記タッチパッドの所定領域以外の領域で、所定のジェスチャ操作が行われたときに、すでに行われた入力操作を無効とするステップとを含むことを特徴としたものである。
【発明の効果】
【００１９】
本発明によれば、表示装置に任意の文字等の入力を行う際に、他人にその入力内容を知られることなく、簡単な操作で確実に入力操作を行うことができるようにした表示システムを提供することを目的とする。
【図面の簡単な説明】
【００２０】
【図１】本発明に係る表示装置の一実施形態を示すブロック図である。
【図２】表示装置の表示部に表示させるソフトキーボードの一例を示す図である。
【図３】リモコンのタッチパッドに設定された文入力エリアと、文字入力方法とを説明する図である。
【図４】表示装置の表示部に表示させるソフトキーボードの他の例を示す図である。
【図５】リモコンのタッチパッドの他の構成例を説明するための図である。
【図６】入力操作の進捗を確認するためのプログレスバーの表示例を説明する図である。
【図７】入力操作の進捗を確認するためのプログレスバーの表示例を説明する他の図である。
【図８】入力操作の進捗を確認するためのプログレスバーの表示例を説明する更に他の図である。
【図９】本発明による表示システムにおける制御の処理例を示すフローチャートである。
【図１０】タッチパッドを使用した文字入力操作の他の例を説明するための図である。
【発明を実施するための形態】
【００２１】
図１は、本発明に係る表示装置の一実施形態を示すブロック図である。表示装置１は、表示装置本体１０とリモコン２０とからなっている。リモコン２０は、表示装置本体１０を操作するためのもので本発明の操作装置に相当するものである。
表示装置本体１０は、本発明の表示装置に相当するもので、表示部１１、ソフトキーボード制御部１２、通過エリア−文字変換部１３、特定エリア通過判定部１４、及び受信部１５を有している。表示装置本体１０は、リモコン２０のタッチパッド２１に対する操作に応じた操作情報に応じた制御を行う本発明の制御部を有している。この制御部は、図１のソフトキーボード制御部１２、通過エリア−文字変換部１３、及び特定エリア通過判定部１４が該当し、これらの機能によって実現される。
【００２２】
表示部１１は、ソフトキーボードを含む各種画像や情報を表示させる表示手段であり、例えば液晶パネルを適用したものである。受信部１５は、リモコン２０から送信されたリモコン信号を受信する受信手段である。リモコン信号には、リモコン２０のタッチパッド２１に対するタッチ位置の座標情報が含まれている。
特定エリア通過判定部１４は、受信部１５が受信したリモコン信号を解析し、リモコン信号に含まれる座標情報が、タッチパッド２１内に設定された複数の文字入力開始エリアのうちいずれかの文字入力開始エリアをタッチしているか、もしくはタッチが通過したことを判定する。文字入力開始エリアは、本発明の所定領域に相当するものである。
【００２３】
ソフトキーボード制御部１５は、予め用意されているソフトキーボードを表示部１１に表示させる。ソフトキーボードは、リモコン２０に対するユーザ操作に従ってソフトキーボードの表示を指示する信号が入力したとき、あるいは、表示装置１で動作するアプリケーションや表示装置１にてサービス提供を受けるＷｅｂページ等によりソフトキーボードへの入力が要求されたとき等に適宜表示させることができる。
【００２４】
通過エリア−文字変換部１３は、特定エリア通過判定部１４によるタッチ位置の判定結果に従って、特定の文字情報を生成する。つまり特定エリア通過判定部１４による通過エリア情報を文字情報に変換する。文字情報は、例えば認証等に使用するパスワード情報であり、通過エリア−文字変換部１３は、パスワードを入力すべきアプリケーションやＷｅｂページなどに対して生成した文字情報を入力する。
【００２５】
リモコン２０は、タッチパッド２１、タッチ座標検知部２２、キー２３、キー検知部２４、及び送信部２５を備えている。
タッチパッド２１は、平板状のセンサを指でなぞることでマウスカーソル等のポインタの操作をすることができるポインティングデバイスである。タッチパッド２１は、平板状のタッチセンサと人の指とで構成されるコンデンサが、タッチセンサ表面のどの位置に存在するかを微弱な静電容量の変化として検出し、検出信号を出力する。
【００２６】
タッチ座標検知部２２は、タッチパッド２１から出力されたタッチセンサの検出信号に従って、タッチセンサの表面の指の位置に応じた座標情報を生成する。この座標情報は、タッチパッド２１の位置に応じて予め設定されている絶対座標情報、もしくは最初のタッチ位置を基点とした移動量を示す相対座標情報である。
【００２７】
キー２３は、リモコンに備えられたテンキーや各種機能ボタンなどの操作キーである。キー検知部２４は、キー２３のユーザ操作を検知する。
送信部２５は、タッチ座標検知部２２が生成した絶対座標情報、及びキー検知部２４が検知したキー操作情報をリモコン信号として送信する送信手段である。リモコン信号は、一般的には、パルス位置変調（Pulse Position Modulation：PPM）方式により表現された赤外線信号であり、表示装置本体１０の受信部１５で受信されることにより、送信側から送信したリモコン信号の内容が解釈できるようになっている。本発明ではリモコン信号の送受信方式は限定されない。
【００２８】
表示装置１は、例えばテレビ受像機として構成することができる。表示装置１をテレビ受像機として構成する場合、テレビ受像機は、アンテナで受信した放送信号を選局して復調し、復号して再生用映像・音声信号を生成する手段と、再生用映像信号に適宜所定の画像処理を施して表示部１１に表示させ、音声信号をスピーカから出力させる手段（いずれも図示せず）とを有する。
【００２９】
図２は、表示装置の表示部に表示させるソフトキーボードの一例を示す図である。
例えばテレビ受像機など複数の人が同時に画面を見ることができる表示装置では、パスワードを表示装置に入力する必要がある場合、ソフトキーボードを使用するとどのキーを入力したかが他人に見られてしまうことになる。
本発明に係る実施形態では、上記のように入力キー操作を他人に見られることを回避するため、ソフトキーボードによる入力を行う際に、表示部１１に図２に示すようなソフトキーボードを表示させる。
【００３０】
図２のソフトキーボードは、入力可能な文字を複数の文字グループ３１ａ〜３１ｆに分けて、これら複数の文字グループを所定位置に表示している。これらの文字グループ３１ａ〜３１ｆの表示は、リモコン２０のタッチパッド２１の特定の文字入力エリアの位置関係に対応している。文字グループは、複数のキーをグループ化した本発明のキーグループに相当する。
【００３１】
図３は、リモコンのタッチパッドに設定された文入力エリアと、文字入力方法とを説明する図である。リモコン２０のタッチパッド２１には、図３に示すような複数の文字入力エリア３２ａ〜３２ｆが設定されている。これらの文字入力エリア３２ａ〜３２ｆは、タッチパッド２１の四隅を含むタッチパッドの外縁部の内側に設定されている。
そして、複数の文字入力エリア３２ａ〜３２ｆのそれぞれは、図２に示す表示部１１に表示された各文字グループ３１ａ〜３１ｆに対応付けられている。タッチパッド２１の文字入力エリア３２ａ〜３２ｆは、文字入力エリアであることを明示的に示す表示はなされていないが、タッチパッド２１に対する印刷などにより、明示的に表示させるようにしてもよい。
【００３２】
図２に示すようなソフトキーボードに対して任意の文字を入力する場合、ユーザは、タッチパッド２１を使用して、まず入力したい文字が含まれる文字グループに対応する文字入力開始エリアをタッチする。
図３（Ａ）に示すように、例えば、ユーザが文字“Ｅ”を入力したい場合、表示部１１に表示されている文字グループ３１ａ〜３１ｆのうち、文字“Ｅ”を含む文字グループ３１ａを確認する。そして文字グループ３１ａに対応付けられてタッチパッド２１に設定されている文字入力エリア３２ａをタッチする。
【００３３】
文字グループ３１ａには、その文字グループに含まれる文字が表示されるとともに、その文字グループに含まれる文字の少なくとも一部にその文字を入力する際のタッチパッド上の移動方向を示す矢印３０が背景に表示される。例えば、文字グループ３１ａの場合、文字“２”、“３”、“Ｑ”，“Ｗ”、“Ｅ”について矢印３０が表示される。この矢印３０は、特定の文字入力エリアから他の文字入力エリアに対してタッチ位置を移動させる方向を指示するものである。
【００３４】
“Ｅ”を入力しようとするユーザは、タッチパッド２１の文字入力エリア３２ａにタッチした後、“Ｅ”の矢印３０を確認して、タッチパッド２１にタッチしたまま右下斜め方向にタッチ位置を移動させ、タッチパッド２１の右下に設定されている文字入力エリア３２ｆでタッチを離すようにする。この動作によって文字“Ｅ”を入力することができる。
【００３５】
他の文字についても同様に矢印３０が示す操作方向に従ってタッチパッド２１のタッチ位置を移動させることにより、任意の文字を入力できる。ここで文字入力エリア３１ａの文字“２”と文字“３”の矢印３０は同方向を向いているが、同じ方向に２つの文字入力エリア３２ｂ、３２ｃがあるため、それぞれ一方の文字入力エリアを示している。この場合、文字グループ３１ａで右側にある文字“３”は、右側の文字入力エリア３２ｃを示し、文字グループ３１ａで左側にある文字“２”は、左側の文字入力エリア３２ｂを示している。
【００３６】
また、文字グループには、矢印３０が表示されない文字もある。文字グループ３１ａの場合には、文字“１”には矢印３０が表示されない。ここで文字“１“を入力する場合には、文字入力エリアから他の特定の文字入力エリアにタッチ位置を移動させる必要はなく、文字グループ３１ａに対応する文字入力エリア３２ａをタップすることにより、文字”１“を入力することができる。タップしたか否かの判断は、特定の文字入力エリアにおいて所定時間内で所定移動距離以内のタッチが行われたときに、タップされたものと判断することができる。
【００３７】
図３（Ｂ）は、文字“Ｃ”を入力するときの動作例を説明する図である。例えば文字“Ｃ”を入力しようとする場合、文字“Ｃ”が含まれる文字グループは、文字グループ３１ｄである。そして矢印ｄ３０の方向は右方向になっている。この場合、ユーザは、まずタッチパッド２１の左下に設定されている文字入力エリア３２ｄをタッチして、そのままタッチ位置をタッチパッド２１の右下に設定されている文字入力エリア３２ｆまで移動させて離す。これにより、文字“Ｃ”を入力することができる。
【００３８】
図３（Ｃ）は、入力を修正する場合の動作例を説明する図である。上記のような動作によりユーザが任意の文字を入力した後、その文字入力を修正したい場合、文字入力エリア外で所定のジェスチャ操作を行うことで、文字を修正できるようにする。
例えば、図３（Ｃ）に示すように、文字入力エリア外で右から左に所定量以上タッチ位置が移動したときに、所定のバックスペースのジェスチャ操作であると判断し、入力済の文字を消去する。この場合、例えばタッチ位置の移動軌跡から水平方向の移動成分と垂直方向の移動成分とを抽出し、水平方向の移動成分が所定量以上であるときに、バックスペースのジェスチャ操作であると判断することができる。あるいはタッチ位置の方向が、水平方向に対して所定角度以内であると判断し、そのときのタッチ位置の軌跡の長さが所定量以上であるときに、バックスペースのジェスチャ操作であると判断するようにしてもよい。
【００３９】
上記のような動作により、タッチパッドの文字入力エリア以外の領域で、所定のジェスチャ操作が行われたときに、すでに行われた入力操作を無効とし、入力済の文字等を消去することができる。そしてこのときに、表示部１１の表示画面上には、カーソルやタッチ位置の軌跡を一切表示させない。これにより、表示部１１の表示画面を見ている人には、どの文字を入力しているのかを全く判別することができない。
一方、タッチパッド２１を使用するユーザは、表示画面上の情報に従ってタッチパッド２１上のタッチ位置の操作を行うので、タッチ位置をどのように移動させ、もしくはタップさせれば文字等の入力が可能であるかを感覚的に判断することができ、目的の文字等を容易に入力することができる。
【００４０】
図４は、表示装置の表示部に表示させるソフトキーボードの他の例を示す図である。この例は、文字グループに表示した文字について、２種類のキーを切り換えて入力可能とするもので、例えば、英文字の大文字と小文字を使い分けて入力できるようにしたものである。
図４のソフトキーボードは、図３の例と同様に、入力可能な文字を複数の文字グループ３１ａ〜３１ｆに分けて、これら複数の文字グループを所定位置に表示している。これらの文字グループ３１ａ〜３１ｆの表示は、リモコン２０のタッチパッド２１の特定の文字入力エリアの位置関係に対応している。
【００４１】
そして図４の実施形態では、複数の文字グループ３１ａ〜２１ｆに加えて、表示部１１の画面中央にｓｈｉｆｔキー３３が表示される。このｓｈｉｆｔキー３３には、一般のＱＷＥＲＴＹキーボード等におけるｓｈｉｆｔキーと同様の機能を付与することができきる。
図５に示すように、タッチパッド２１には、ｓｈｉｆｔキー３３に対応する領域、ここではタッチパッド２１の中央部にキーを切り換えるためのキー切り換え領域３４が設定される。このキー切り換え領域３４を操作することにより、任意の文字の大文字、小文字を変更して入力することができる。
【００４２】
操作方法としては、まず目的の文字等を入力するときに、上記図２のキーボードと同様の方法で、目的の文字等が含まれる文字グループに対応する文字入力開始エリアをタッチし、その文字に示されるタッチ位置の移動方向に従って、タッチ位置を移動させる。
例えば、大文字の“Ｇ”を入力したい場合、表示部１１に表示されている文字グループ３１ａ〜３１ｆのうち、大文字“Ｇ”を含む文字グループ３１ｅを確認し、文字グループ３１ｅに対応付けられてタッチパッド２１に設定されている文字入力エリア３２ｅをタッチする。そしてタッチ位置を移動させて文字入力エリア３２ｂをタッチする。
【００４３】
上記文字入力エリア３２ｂでタッチを離すと、図２の例と同様に文字“Ｇ”が入力される。この場合の入力文字は、文字グループ３１ｅに表示されるような大文字の“Ｇ”である。そして、小文字の“ｇ”を入力したい場合には、文字入力エリア３２ｂまで移動させたタッチを離すことなく、そのままキー切り換え領域３４までタッチ位置を移動させ、その位置でタッチを離す。このような操作を行うことにより、選択した文字の小文字を簡単に入力することができる。
【００４４】
また、例えば文字“Ｂ”のように、文字入力エリア３２ｅでタップすることにより入力が行われる文字については、まず、その文字入力エリア３２ｅをタッチした後、タッチしたままタッチ位置をキー切り換え領域３４まで移動させた後タッチを離すようにすればよい。
なお、キー切り換え機能としては、上記のような大文字／小文字の切り換えのみならず、任意の２種類のキーを切り換えて入力できるようにすることができる。この場合には、切り換え可能な２種類の文字等を表示部１１のソフトキーボード上に明示的に表示させるようにするとよい。
【００４５】
図６〜図８は、入力操作の進捗を確認するためのプログレスバーの表示例を説明する図で、表示装置本体に表示させるプログレスバーを図６〜図８の各図の（Ａ）に示し、リモコンのタッチパッドの操作状態を各図の（Ｂ）に示す。
本例では、ユーザの操作入力の進捗度を示すプログレスバー４０を表示部１１に表示させる。この例ではプログレスバー４０は、３つのマーク４１ａ，４１ｂ，４１ｃを表示することができ、ユーザの操作入力の進捗に従って順次各マーク４１ａ〜４１ｃを明示的に区別して表示させる。例えばユーザの操作入力に従ってマーク４１ａ〜４１ｃが点灯するかのように順に輝度を上げる表示を行う。
これによりユーザは、プログレスバー４０を確認しながら実際に目的の文字等が入力できているか否かを確認することができる。なおプログレスバー４０としては、上記のような複数のマークではなく、バーの長さが段階的に長くなっていくような表示であってもよく、あるいは進捗度を数字で示すようなものであってもよく、表示方法は適宜定めることができる。
【００４６】
ソフトキーボードで小文字の“ｄ”を入力する場合を例にする。図６において、“ｄ”の大文字である“Ｄ”が左下の文字グループ３１ｄに属しているため、ユーザは、まずタッチパッド２１上の左下の文字入力エリア３２ｄに指２でタッチする。プログレスバー４０では、この時点で最初のマーク４１ａの表示を変化させる。
そしてユーザが左下の文字入力エリア３２ｄから右上の文字入力エリア３２ｃにタッチ位置を移動させたときに、図７に示すように、プログレスバー４０の２つ目のマーク４１ｂを変化させる。さらに小文字の“ｄ”を入力するために、図８に示すようにタッチ位置をキー切り換え領域３４に移動させてタッチを離すと、３番目のマーク４１ｃを変化させる。このようにすることで、ユーザは操作入力が適切に行われていることを確実に認識することができる。
【００４７】
また、例えば数字の“１”を入力するときのように、文字入力エリアに対するタップだけで操作入力が終了してしまう場合、プログレスバー４０では、まず文字入力エリア３２ａにユーザタッチした時点で１つ目のマーク４１ａの表示を変化させ、文字入力エリア３２ａからタッチを離した時点で２つ目のマーク４１ｂの表示を変化させる。そしてこの時点で入力文字が確定するため、さらにダミーで３つ目のマーク４１ｃの表示を変化させる。  
つまり、いずれの文字等の入力操作であっても、１つの文字等の入力が終了した時点で３つのマーク４１ａ〜４１ｃの表示を最後まで明示的に変化させる。これによりユーザは、１つの文字等の入力が完了するごとにプログレスバー４０により適切に文字等の入力がなされたことを確認することができる。
【００４８】
図９は、本発明による表示システムにおける制御の処理例を示すフローチャートである。ここでは図１の構成を参照しながら説明する。
まず、表示装置本体１０の受信部１５がリモコン２０から送信された座標情報を受信すると（ステップＳ１）、特定エリア通過判定部１４は、タッチパッド２１上の所定領域として設定された文字入力開始エリアにタッチされたか否かを判定する（ステップＳ２）。文字入力エリアは、一例として、図３に示すようにタッチパッド２１の４隅を含む周辺部の６カ所に設けられているものとする。
【００４９】
文字入力エリアではない領域にタッチされていると判定された場合（ステップＳ２−Ｎｏ）、特定エリア通過判定部１４では、文字入力エリア以外の領域で所定のバックスペースのジェスチャ操作が行われているか否かを検知する（ステップＳ９）。ここでバックスペースのジェスチャ操作が検知されると、ソフトキーボード制御部１２は、入力した文字列を１文字消去するバックスペース処理を行う（ステップＳ１０）。バックスペースのジェスチャ操作が検知されなかった場合、または上記のバックスペース処理を行った場合には、その後のリモコンからの座標データ受信待ちの状態へ戻り（ステップＳ１１）、処理を終了する。
【００５０】
一方、特定エリア通過判定部１４が、タッチパッド２１のいずれかの文字入力開始エリアにタッチされていると判定した場合（ステップＳ２−Ｙｅｓ）、ソフトキーボード制御部１２は、特定エリア通過判定部１４の判定結果に従って文字入力開始エリアのタッチ軌跡を記憶し、そのタッチ軌跡に応じてプログレスバーの表示処理を行う（ステップＳ３）。
そして、さらに表示装置本体１０側でリモコン２０から座標情報を受信すると（ステップＳ４−Ｙｅｓ）、特定エリア通過判定部１４は、文字入力エリアにタッチされた否かを判別する（ステップＳ１２）。文字入力エリアにタッチされた場合には、ステップＳ３に戻り、タッチ軌跡を記憶して次のプログレスバー処理を行う。
【００５１】
ステップＳ４でリモコンから座標データを受信しない場合、またはステップＳ１２で文字入力エリアにタッチされていない場合、特定エリア通過判定部１４では、リモコンからタッチ位置解除を示すデータを受信したか判断する（ステップＳ５）。タッチ位置解除を示すデータが受信されていなければ、ステップＳ４に戻る。またタッチ位置解除を示すデータが受信された場合、通過エリア−文字変換部１３では、文字入力エリアに対するタッチ軌跡から入力文字を算出し、算出した文字を特定のアプリケーションやサービス等の認証処理用に入力する（ステップＳ６）。
【００５２】
そして、特定エリア通過判定部１４は、文字入力エリアへのタッチ回数が３回未満か否かを判別する（ステップＳ７）。タッチ回数が３回未満でなければ、リモコンからの座標データ受信待ちの状態に戻り（ステップＳ８）、処理を終了する。
また、文字入力エリアへのタッチ回数が３回未満であれば、ソフトキーボード制御部１２は、ダミーによってプログレスバーの進捗を最後まで進めるダミープログレスバー処理を行い（ステップＳ１３）、リモコンからの座標データ受信待ちの状態に戻って（ステップＳ８）、処理を終了する。
【００５３】
図１０は、タッチパッドを使用した文字入力操作の他の例を説明するための図である。
本例では、リモコン２０のタッチパッド２１に設定した文字入力エリア３２ａ〜３２ｄを利用して、点字入力を行うことができるようにする。
点字は、通常横２×縦３の６つの点で表され、これらの６つ点の盛り上がりの位置によって文字や数字を表現している。タッチパッド２１を用いて点字を入力するために、タッチパッド２１に６か所の文字入力エリア３２ａ〜３２ｆを設ける。この文字入力エリア３２ａ〜３２ｆによって、点字で表現されるソフトキーボードに対する入力操作を行うようにする。
【００５４】
点字入力を行う際には、点字の規則に従って特定の文字入力エリア上にタッチ位置を移動させる。図１０（Ａ）は、タッチパッド２１上の文字入力エリア３２ａ〜３２ｆの設定例を示している。そして、例えば点字で“Ｅ”を入力する場合、図１１（Ｂ）に示すように、点字の規則に従ってまず左上の文字入力エリア３２ａに指２でタッチした後、そのままタッチ位置を右側中央の文字入力エリア３２ｅに移動させ、ここでタッチを離す。これにより文字“Ｅ”を入力することができる。
【００５５】
また、文字“Ｙ”を入力する場合、図１０（Ｃ）に示すように、まず左上の文字入力エリア３２ａにタッチした後、そのままタッチ位置を右側中央の文字入力エリア３２ｅに移動させ、右下の文字入力エリア３２ｄにタッチ位置を移動させ、さらに左下の文字入力エリア３２ｃにタッチ位置を移動させてここでタッチを離す。これにより、文字“Ｙ”を入力することができる。ここでは、弱視者等にタッチパッド上の文字入力エリアの位置が確認しやすくなるように、タッチパッド２１の文字入力エリアに相当する領域に突起部を設けたり、表面の粗さを変えるなどの構成を付与するようにしてもよい。
このように点字の規則を導入した文字入力エリアを用いることにより、点字を使用するユーザはタッチパッド２１を利用して容易にパスワードの入力が可能となる。
【符号の説明】
【００５６】
１…表示装置、２…指、１０…表示装置本体、１１…表示部、１２…ソフトキーボード制御部、１３…文字変換部、１４…特定エリア通過判定部、１５…受信部、２０…リモコン、２１…タッチパッド、２２…タッチ座標検知部、２３…キー、２４…キー検知部、２５…送信部、３０…矢印、３１ａ〜３１ｆ…文字グループ、３２ａ〜３２ｆ…文字入力エリア、３３…ｓｈｉｆｔキー、３４…キー切り換え領域、４０…プログレスバー、４１ａ，４１ｂ，４１ｃ…マーク。
【図１】
0006008313.tif 000002
【図２】
0006008313.tif 000003
【図３】
0006008313.tif 000004
【図４】
0006008313.tif 000005
【図５】
0006008313.tif 000006
【図６】
0006008313.tif 000007
【図７】
0006008313.tif 000008
【図８】
0006008313.tif 000009
【図９】
0006008313.tif 000010
【図１０】
0006008313.tif 000011